(57)【要約】【課題】本発明は、簡易な構成でかつ誰に対しても強固で安定した装着状態を提供できるようにする。【解決手段】本発明は、ドライバーユニット１０１と、当該ドライバーユニット１０１から引き出されている接続コード１０２が耳殻の外形を包み込むようなループを形成すべく、当該接続コード１０２をその所定位置で保持するコード保持部１０３とを設けることにより、ドライバーユニット１０１から引き出されている接続コード１０２がコード保持部１０３によって当該接続コード１０２の所定位置で保持されたときに、耳殻の外形を包み込むようなループを形成することができるので、耳掛けハンガーを別部品として設けることなく、接続コード１０２によるループを耳掛けハンガーとして用いることによって耳殻の周囲を包み込んだ強固かつ安定した装着状態を提供することができる。【選択図】図８
2009212947.tif 000002
【特許請求の範囲】
【請求項１】
ドライバーユニットと、
上記ドライバーユニットから引き出されている接続コードが耳殻を包み込むようなループ状耳掛けハンガーを形成すべく、上記接続コードをその所定位置で保持する上記ドライバーユニットに設けられたコード保持部と
を具えるヘッドホン装置。
【請求項２】
上記コード保持部は、上記接続コードを保持している上記所定位置をユーザによる上記接続コードの引っ張り動作に応じて変更することにより、上記ループ状耳掛けハンガーにおけるループサイズを可変する
請求項１に記載のヘッドホン装置。
【請求項３】
上記コード保持部は、上記ドライバーユニットと一体化された筒状でなる
請求項１に記載のヘッドホン装置。
【請求項４】
上記コード保持部は、上記ドライバーユニットと一体化され、上記接続コードを脱着可能に挟み込む構造でなり、上記接続コードが取り外された後は上記ループ状耳掛けハンガーが消滅する
請求項１に記載のヘッドホン装置。
【請求項５】
上記接続コードは、装着時、ユーザの耳朶近傍に位置する部分が予め当該耳朶の外形に沿った形状に折り曲げられ、かつその状態を維持すべく当該部分のコード径が他の部分よりも太い
請求項１に記載のヘッドホン装置。
【請求項６】
上記ドライバーユニットは、バーティカルタイプである
請求項１に記載のヘッドホン装置。
【請求項７】
上記ドライバーユニットは、ラテラルタイプである
請求項１に記載のヘッドホン装置。
【請求項８】
上記ドライバーユニットは、インナーイヤータイプである
請求項１に記載のヘッドホン装置。
【請求項９】
ドライバーユニットと、
上記ドライバーユニットから引き出されている接続コードが耳殻を包み込むようなループ状耳掛けハンガーを形成すべく、上記接続コードをその所定位置でスライド自在に保持する上記ドライバーユニットと一体化された筒状のコード保持部と
を具えるヘッドホン装置。
【請求項１０】
上記コード保持部は、上記接続コードを保持している上記所定位置をユーザによる上記接続コードの引っ張り動作に応じて上記スライド自在に変更することにより、上記ループ状耳掛けハンガーにおけるループサイズを可変する
請求項９に記載のヘッドホン装置。
【請求項１１】
ドライバーユニットと、
上記ドライバーユニットから引き出されている接続コードが耳殻を包み込むようなループ状耳掛けハンガーを形成すべく、上記接続コードをその所定位置でスライド自在に保持する上記ドライバーユニットと一体化された上記接続コードを脱着可能に挟み込む構造のコード保持部と
を具えるヘッドホン装置。
【請求項１２】
上記コード保持部は、上記接続コードが取り外された後は上記ループ状耳掛けハンガーが消滅する
請求項１１に記載のヘッドホン装置。
【請求項１３】
上記コード保持部は、上記接続コードを保持している上記所定位置をユーザによる上記接続コードの引っ張り動作に応じて上記スライド自在に変更することにより、上記ループ状耳掛けハンガーにおけるループサイズを可変する
請求項１１に記載のヘッドホン装置。
【発明の詳細な説明】
【技術分野】
【０００１】
本発明は、ヘッドホン装置に関し、例えば携帯型音楽プレーヤに接続して用いられる耳掛け方式のヘッドホン装置（以下、これを耳掛け式ヘッドホンと呼ぶ）に適用して好適なものである。
【背景技術】
【０００２】
従来、耳掛け式ヘッドホンとしては、多種多様なタイプが市場に出回っており、以下に幾つかの例を挙げて説明する。
【０００３】
例えば図１に示すように、１は耳載せタイプの耳掛け式ヘッドホンを示し、その内部にドライバーユニット（図示せず）が収納されたハウジング２と一体化された軟質素材でなる耳掛けハンガー３を有している。
【０００４】
この耳掛け式ヘッドホン１では、装着時、耳掛けハンガー３が耳殻の上方部分に引っ掛けられると共に、当該耳掛けハンガー３が当該耳殻の裏側付根部分に押し当てられることにより、当該ハウジング２が耳殻の上から押し当てられた状態で装着されるようになされている。
【０００５】
また図２に示すように、１０はバーティカルタイプの耳掛け式ヘッドホンを示し、耳孔に対して垂直に装着されるドライバーユニット１１と一体化された軟質素材でなる耳掛けハンガー１２を有している。
【０００６】
この耳掛け式ヘッドホン１０においても、装着時、耳掛けハンガー１２が耳殻の上方部分に引っ掛けられると共に、当該ドライバーユニット１１が耳孔に対して垂直に装着されるようになされている。
【０００７】
さらに図３に示すように、２０はバーティカルタイプの耳掛け式ヘッドホンを示し、耳孔に対して垂直に装着されるドライバーユニット２１と一体化された軟質素材でなる耳掛けハンガー２２を有している。
【０００８】
因みに、この耳掛け式ヘッドホン２０では、装着時、耳掛けハンガー２２の先端部２２Ａが耳朶近傍に位置するようになされており、図２に示した耳掛け式ヘッドホン１０の耳掛けハンガー１２よりも装着時の安定感が増すようになされている。
【０００９】
この耳掛け式ヘッドホン２０においても、装着時、耳掛けハンガー２２が耳殻の上方部分に引っ掛けられると共に、当該耳掛けハンガー２２が当該耳殻の裏側付根部分に押し当てられ、かつ先端部２２Ａが耳朶の裏側に押し当てられることにより、当該ドライバーユニット２１が耳孔に対して一段と強固に装着されるようになされている。
【００１０】
さらに図４に示すように、３０はバーティカルタイプの耳掛け式ヘッドホンを示し、耳孔に対して垂直に装着されるドライバーユニット３１と一体化された軟質素材でなるループ状耳掛けハンガー３２を有している。
【００１１】
このループ状耳掛けハンガー３２は、ユーザの耳殻の外形に沿うように湾曲され、かつ当該耳殻の外形に沿うような輪状の閉空間が形成されている。なお、ループ状耳掛けハンガー３２は、携帯型音楽プレーヤ（図示せず）と接続するためのドライバーユニット３１から引き出された接続コード３３の一部が当該ループ状耳掛けハンガー３２の内側に挿通されている。
【００１２】
この耳掛け式ヘッドホン３０では、装着時、輪状のループ状耳掛けハンガー３２が耳殻全体に対して引っ掛けられるように取り付けられたとき、当該ループ状耳掛けハンガー３２のループが耳殻を包み込み、他の耳掛け式ヘッドホン１、１０及び２０よりも一段と安定した装着状態を維持できるようになされている。
【００１３】
ところで、上述したような耳掛け式ヘッドホン１、１０、２０及び３０のように、耳掛けハンガー３、１２、２２及びループ状耳掛けハンガー３２が予め設けられているタイプではなく、このような耳掛けハンガーの代わりに、携帯型音楽プレーヤ等の電子機器に接続するための接続コード自体を耳殻に引っ掛けるタイプのヘッドホンも存在する。
【００１４】
図５に示すように、４０はラテラルタイプの耳掛け式ヘッドホンを示し、ラテラルタイプのドライバーユニット４１を耳孔に対して側方から水平に装着した際、そのドライバーユニット４１から引き出された携帯型音楽プレーヤに接続するための耳掛けハンガー兼用接続コード４２を耳殻の上方部分に引っ掛けることにより装着させるような構造を有している。
【００１５】
この耳掛け式ヘッドホン４０では、これまでのような耳掛けハンガー自体が存在せず、耳掛けハンガー兼用接続コード４２を耳掛けハンガーとしても兼用する構造であるため、簡易な構成で一定レベルの装着安定性を提供し得るようになされている。
【００１６】
また図６（Ａ）及び（Ｂ）に示すように、５０はインナーイヤータイプの耳掛けハンガー分離式ヘッドホンを示し、耳孔に差し込まれるべきイヤーピース５１Ａが取り付けられたドライバーユニット５１と、そのドライバーユニット５１から引き出された接続コード５３に対して分離可能な状態で取り付けられた耳掛けハンガー５２とによって構成されている。
【００１７】
この耳掛けハンガー分離式ヘッドホン５０では、装着時、耳掛けハンガー５２が耳殻の上方部分に引っ掛けられると共に、当該耳掛けハンガー５２が当該耳殻の裏側付根部分に押し当てられることにより、当該ドライバーユニット５１を耳孔に対して強固に装着させるようになされている。
【００１８】
また耳掛けハンガー分離式ヘッドホン５０は、図６（Ｃ）に示すように、耳掛けハンガー５２が接続コード５３から取り外されたときは、耳殻に引っ掛けることなく、イヤーピース５１Ａを耳孔に差し込まれただけの装着状態で使用することができ、耳掛け式としても非耳掛け式としても用い得るようになされている。
【００１９】
これらの耳掛け式ヘッドホン１、１０、２０、３０、４０及び耳掛けハンガー分離式ヘッドホン５０においては、予め耳殻の大きいユーザでも装着できるようなサイズに耳掛けハンガー部分が形成されているため、耳殻の小さなユーザに対しては必ずしも安定した装着状態を提供し得ないという問題がある。
【００２０】
このような点を解決するものとして、スピーカユニットが内蔵されたハウジング部を支持するべく耳掛け用に湾曲形状に形成された第１のハンガーと、その一端が第１のハンガーに固定されると共に他端が第１のハンガーに対してスライド自在に取り付けられた軟質の可撓性を持つ第２のハンガー支持部材とを有し、第２のハンガーにおける他端を第１のハンガーに対してスライドさせることにより、ハウジング部を中心とした第２のハンガーまでの距離を調整可能なヘッドホン装置があり、耳殻の形状及びサイズに拘わらず、安定した装着状態を提供するようになされたものがある（例えば、特許文献１参照）。
【特許文献１】特開2006-94006公報
【発明の開示】
【発明が解決しようとする課題】
【００２１】
ところで上述した特許文献１に記載されているヘッドホン装置においては、第１のハンガーに加えてスライドさせる第２のハンガーが必要であり、その構造が複雑化すると共に、第２のハンガーによって耳殻の上方部分だけしか引っ掛けられることがないため、必ずしも強固で安定した装着状態を提供し得ないという問題があった。
【００２２】
本発明は以上の点を考慮してなされたもので、簡易な構成でかつ誰に対しても強固で安定した装着状態を提供し得るヘッドホン装置を提案しようとするものである。
【課題を解決するための手段】
【００２３】
かかる課題を解決するため本発明のヘッドホン装置においては、ドライバーユニットと、当該ドライバーユニットから引き出されている接続コードが耳殻を包み込むようなループ状耳掛けハンガーを形成すべく、当該接続コードをその所定位置で保持するドライバーユニットに設けられたコード保持部とを設けるようにする。
【００２４】
これにより、ドライバーユニットから引き出されている接続コードが当該ドライバーユニットに設けられたコード保持部によって当該接続コードの所定位置で保持されたとき、耳殻を包み込むようなループ状耳掛けハンガーを形成することができるので、耳掛けハンガーを別部品として設けることなく、ループ状耳掛けハンガーのループにより耳殻を包み込むような状態で強固に装着することができる。
【００２５】
また本発明のヘッドホン装置においては、ドライバーユニットと、当該ドライバーユニットから引き出されている接続コードが耳殻を包み込むようなループ状耳掛けハンガーを形成すべく、接続コードをその所定位置でスライド自在に保持するドライバーユニットと一体化された筒状のコード保持部とを設けるようにする。
【００２６】
これにより、ドライバーユニットから引き出されている接続コードが当該ドライバーユニットと一体化された筒状のコード保持部によって当該接続コードの所定位置で保持されたとき、耳殻を包み込むようなループ状耳掛けハンガーを形成することができるので、耳掛けハンガーを別部品として設けることなく、ループ状耳掛けハンガーのループにより耳殻を包み込むような状態で強固に装着することができる。
【００２７】
さらに本発明のヘッドホン装置においは、ドライバーユニットと、当該ドライバーユニットから引き出されている接続コードが耳殻を包み込むようなループ状耳掛けハンガーを形成すべく、接続コードをその所定位置でスライド自在に保持するドライバーユニットと一体化された接続コードを脱着可能に挟み込む構造のコード保持部とを設けるようにする。
【００２８】
これにより、ドライバーユニットから引き出されている接続コードが当該ドライバーユニットと一体化された接続コードを脱着可能に挟み込む構造のコード保持部によって当該接続コードの所定位置で保持されたとき、耳殻を包み込むようなループ状耳掛けハンガーを形成することができるので、耳掛けハンガーを別部品として設けることなく、ループ状耳掛けハンガーのループにより耳殻を包み込むような状態で強固に装着することができる。
【発明の効果】
【００２９】
本発明によれば、ドライバーユニットから引き出されている接続コードが当該ドライバーユニットに設けられたコード保持部によって当該接続コードの所定位置で保持されたとき、耳殻を包み込むようなループ状耳掛けハンガーを形成することができるので、耳掛けハンガーを別部品として設けることなく、ループ状耳掛けハンガーのループにより耳殻を包み込むような状態で強固に装着することができ、かくして簡易な構成でかつ誰に対しても強固で安定した装着状態を提供し得るヘッドホン装置を実現することができる。
【００３０】
また本発明によれば、ドライバーユニットから引き出されている接続コードが当該ドライバーユニットと一体化された筒状のコード保持部によって当該接続コードの所定位置で保持されたとき、耳殻を包み込むようなループ状耳掛けハンガーを形成することができるので、耳掛けハンガーを別部品として設けることなく、ループ状耳掛けハンガーのループにより耳殻を包み込むような状態で強固に装着することができ、かくして簡易な構成でかつ誰に対しても強固で安定した装着状態を提供し得るヘッドホン装置を実現することができる。
【００３１】
さらに本発明によれば、ドライバーユニットから引き出されている接続コードが当該ドライバーユニットと一体化された接続コードを脱着可能に挟み込む構造のコード保持部によって当該接続コードの所定位置で保持されたとき、耳殻を包み込むようなループ状耳掛けハンガーを形成することができるので、耳掛けハンガーを別部品として設けることなく、ループ状耳掛けハンガーのループにより耳殻を包み込むような状態で強固に装着することができ、かくして簡易な構成でかつ誰に対しても強固で安定した装着状態を提供し得るヘッドホン装置を実現することができる。
【発明を実施するための最良の形態】
【００３２】
以下、図面について、本発明の一実施の形態を詳述する。
【００３３】
（１）第１の実施の形態
図７において、１００は全体として本発明の第１の実施の形態におけるバーティカルタイプの耳掛け式ヘッドホンを示し、バーティカルタイプのドライバーユニット１０１の下端から引き出されている所定径（例えば直径１．６ｍｍ）の接続コード１０２が耳殻の外形を沿うと共に包み込むようなループ形状を有している。
【００３４】
このとき耳掛け式ヘッドホン１００では、ドライバーユニット１０１の側面に対して一体化された筒構造のコード保持部１０３が設けられており、ループ形状を描いた接続コード１０２の一部分が当該コード保持部１０３に挿通されている。
【００３５】
接続コード１０２は、例えば軟質の熱可塑性エラストマーで形成されており、耳殻の外形を沿うと共に耳殻の全体を包み込むようにフィットし、良好な装着感を提供し得るようになされている。
【００３６】
コード保持部１０３は、例えば硬質の樹脂材またはプラスチック材でなる所定径（例えば直径２．４ｍｍ）の管材が耳殻の前方の外形形状に沿うような略逆Ｃ字形状に形成されたものであり、その筒構造の内部にその一部分が挿通された接続コード１０２を、矢印方向に対するユーザの引っ張り動作に応じてスライドさせ得るようになされている。
【００３７】
なお、コード保持部１０３の素材として、これ以外にも、ポリプロピレン（ＰＰ）や、ポロエチレンテレフタレート（ＰＢＰ）等の合成樹脂、シリコンゴムや塩化ビニル等であっても良い。
【００３８】
因みに、コード保持部１０３は、その筒構造の内部を接続コード１０２がスライドしながら挿通し得るように、その内径が接続コード１０２の直径１．６ｍｍよりも僅かに大きなサイズに形成されており、当該接続コード１０２がコード保持部１０３の内部をスライドする際、ある程度の摩擦を生じさせるようになされている。
【００３９】
これにより耳掛け式ヘッドホン１００では、ユーザにより接続コード１０２のプラグ１０２Ｄ側がコード保持部１０３から引っ張られない限り、当該コード保持部１０３の内部に挿通された接続コード１０２が摩擦によりその位置で保持されるため、当該接続コード１０２によって形成されたループのサイズを維持し得るようになされている。
【００４０】
従って耳掛け式ヘッドホン１００は、接続コード１０２とコード保持部１０３との位置関係を、当該接続コード１０２に対する引っ張り操作に応じて任意に変更し得ると共に、そのときの位置で保持し得ることにより、当該接続コード１０２によって形成されるループのサイズを自在に変更し得るようになされている。
【００４１】
かくして耳掛け式ヘッドホン１００では、接続コード１０２によって形成されるループのサイズを自在に変更することにより、耳殻の形状及びサイズに拘わらず、接続コード１０２のループによって耳殻の外形を包み込んだ状態で当該接続コード１０２を密着させ、かくして常に最適な装着感をユーザに提供し得るようになされている。
【００４２】
なお、耳掛け式ヘッドホン１００では、接続コード１０２とコード保持部１０３とを摩擦によって保持するのではなく、コード保持部１０３に対して接続コード１０２の位置が変化しないようにすべく、所定構造のストッパーを設けるようにしても良い。
【００４３】
さらに耳掛け式ヘッドホン１００は、ドライバーユニット１０１の下端から引き出されている接続コード１０２の最初の数ｃｍであって、耳朶の外形を沿う略Ｕ字形状でなる太コード部分１０２Ａについては、それ以外の他の細コード部分１０２Ｂよりも外径が僅かに太くなっており（すなわち肉厚が太い）、太コード部分１０２Ａと細コード部分１０２Ｂとが所定長さの接合部分１０２Ｃによって一体化されている。
【００４４】
具体的には、接続コード１０２の細コード部分１０２Ｂが直径１．６ｍｍであるのに対し、太コード部分１０２Ａは直径２．０ｍｍとなっている。これにより接続コード１０２は、耳朶の外形を沿う太コード部分１０２Ａがその形状を保持し得る程度の堅固さを保持し、それ以外の細コード部分１０２Ｂについては、耳殻の裏側付根部分に対して密着し易い柔軟性を保持するようになされている。
【００４５】
これにより耳掛け式ヘッドホン１００は、装着時、耳殻の裏側付根部分に対して接続コード１０２のうち柔軟性を有する細コード部分１０２Ｂが密着し、高いフィット感を保持する一方、耳朶の裏側付根部分に密着される堅固な太コード部分１０２Ａにより、接続コード１０２による耳殻の外形に沿ったようなループの形状を保持し得るようになされている。
【００４６】
因みに接続コード１０２は、太コード部分１０２Ａの材質を細コード部分１０２Ｂよりも固い材料を用いて一体化すれば、太コード部分１０２Ａの外径を細コード部分１０２Ｂの外径よりも太くする必要は無い。
【００４７】
以上の構成において、耳掛け式ヘッドホン１００は図８に示すように、接続コード１０２のプラグ１０２Ｄ側が下方に引っ張られたとき、コード保持部１０３と接続コード１０２との摩擦力を抗して当該接続コード１０２がコード保持部１０３の内部をスライドすることにより、当該接続コード１０２によって形成されていたループのサイズを小さくすることができる。
【００４８】
従って耳掛け式ヘッドホン１００では、ユーザの耳殻に接続コード１０２のループが引っ掛けられた状態で、当該接続コード１０２のプラグ１０２Ｄ側が下方に引っ張られたとき、接続コード１０２によるループのサイズが小さくなって、当該接続コード１０２が１周に亘って耳殻を包み込むように密着することになる。
【００４９】
すなわち耳掛け式ヘッドホン１００は、接続コード１０２によるループのサイズを、コード保持部１０３を介して自在に調整することが出来るので、耳殻の形状及び大きさに拘わらず、誰に対しても装着時の保持状態を強固にすることができると共に締め付け具合（フィット感）を自在に調整することができる。
【００５０】
特に、耳掛け式ヘッドホン１００は、略逆Ｃ字形状に形成されたコード保持部１０３を介して接続コード１０２がスライド動作するようになされていることによって、接続コード１０２によるループの形状が崩れることがなく、常に耳殻を包み込むように接続コード１０２を密着させることができる。
【００５１】
また耳掛け式ヘッドホン１００は、接続コード１０２が逆方向へ引っ張られたときには、ループのサイズを大きくすることができるので、装着状態を緩める等の微調整を容易に行うこともできる。
【００５２】
なお耳掛け式ヘッドホン１００は、ドライバーユニット１０１の下端から引き出されている接続コード１０２の最初の数ｃｍであって、耳朶の外形を沿う略Ｕ字形状でなる太コード部分１０２Ａが、それ以外の他の細コード部分１０２Ｂよりも外径が太くなっており、その形状を保持し得る程度の堅固さを保持していることにより、装着時、コード保持部１０３だけでなく、堅固な太コード部分１０２Ａによっても接続コード１０２によるループの形状を保持し得、耳殻を包み込むように接続コード１０２を密着させることができる。
【００５３】
以上の構成によれば、耳掛け式ヘッドホン１００は、接続コード１０２により耳殻を包み込むようなループを形成し得、そのサイズを調整可能な構造としたことにより、耳殻の形状及びサイズに拘わらず、誰に対しても接続コード１０２のループを介して強固で快適な装着感を提供することができる。
【００５４】
（２）第２の実施の形態
図７との対応部分に同一符号を付した図９において、１１０は全体として本発明の第２の実施の形態におけるバーティカルタイプの耳掛け式ヘッドホンを示し、バーティカルタイプのドライバーユニット１０１の下端から引き出されている所定径（例えば直径１．６ｍｍ）の接続コード１０２が耳殻の外形を沿うと共に包み込むようなループ形状を有している。
【００５５】
このとき耳掛け式ヘッドホン１１０では、ドライバーユニット１０１の側面に対して一体化された筒構造のコード保持部１１３が設けられており、ループ形状を描いた接続コード１０２の一部分が当該コード保持部１１３に挿通されている。
【００５６】
接続コード１０２は、例えば軟質の熱可塑性エラストマーで形成されており、耳殻の外形を沿うと共に耳殻の全体を包み込むようにフィットし、良好な装着感を提供し得るようになされている。
【００５７】
コード保持部１１３は、例えば硬質の樹脂材またはプラスチック材でなる所定径（例えば直径２．４ｍｍ）の管材が耳殻の前方の外形形状に沿うような略逆Ｃ字形状に形成されたものであり、そのコード保持部１１３の一方の先端には例えば布製でなり、耳殻の上方に相当する接続コード１０２の部分を覆うためのコードカバー１１１が一体に取り付けられている。
【００５８】
なお、コード保持部１１３の素材として、これ以外にも、ポリプロピレン（ＰＰ）や、ポロエチレンテレフタレート（ＰＢＰ）等の合成樹脂、シリコンゴムや塩化ビニル等であっても良い。
【００５９】
因みに、コードカバー１１１の材質としては、布製に限るものではなく、ユーザにとって柔らかな装着感を提供できるものであれば、シリコンゴム等のゴム系素材や、樹脂系素材を用いることもできる。
【００６０】
従って耳掛け式ヘッドホン１１０では、接続コード１０２の一部分がコードカバー１１１及びコード保持部１１３の双方に挿通されることになり、装着時、特にコードカバー１１１が耳殻の上方に密着するようになされている。
【００６１】
また耳掛け式ヘッドホン１１０では、コード保持部１１３における筒構造の内部にその一部分が挿通された接続コード１０２を、矢印方向に対するユーザの引っ張り動作に応じてスライドさせ得るようになされている。
【００６２】
因みに、コード保持部１１３は、その筒構造の内部を接続コード１０２がスライドしながら挿通し得るように、その内径が接続コード１０２の直径１．６ｍｍよりも僅かに大きなサイズに形成されており、当該接続コード１０２がコード保持部１１３の内部をスライドする際、ある程度の摩擦を生じさせるようになされている。
【００６３】
これにより耳掛け式ヘッドホン１１０では、ユーザにより接続コード１０２のプラグ１０２Ｄ側がコード保持部１１３から引っ張られない限り、当該コード保持部１１３の内部に挿通された接続コード１０２が摩擦によりその位置で保持されるため、当該接続コード１０２によって形成されたループのサイズを維持し得るようになされている。
【００６４】
従って耳掛け式ヘッドホン１１０は、接続コード１０２とコード保持部１１３との位置関係を、当該接続コード１０２に対する引っ張り操作に応じて任意に変更し得ると共に、そのときの位置で保持し得ることにより、当該接続コード１０２によって形成されるループのサイズを自在に変更し得るようになされている。
【００６５】
かくして耳掛け式ヘッドホン１１０では、接続コード１０２によって形成されるループのサイズを自在に変更することにより、耳殻の形状及びサイズに拘わらず、接続コード１０２のループによって耳殻の外形を包み込んだ状態で当該接続コード１０２を密着させ、かくして常に最適な装着感をユーザに提供し得るようになされている。
【００６６】
なお、耳掛け式ヘッドホン１１０では、接続コード１０２とコード保持部１１３とを摩擦によって保持するのではなく、コード保持部１１３に対して接続コード１０２の位置が変化しないようにすべく、所定構造のストッパーを設けるようにしても良い。
【００６７】
さらに耳掛け式ヘッドホン１１０は、ドライバーユニット１０１の下端から引き出されている接続コード１０２の最初の数ｃｍであって、耳朶の外形を沿う略Ｕ字形状でなる太コード部分１０２Ａについては、それ以外の他の細コード部分１０２Ｂよりも外径が僅かに太くなっており（すなわち肉厚が太い）、太コード部分１０２Ａと細コード部分１０２Ｂとが所定長さの接合部分１０２Ｃによって一体化されている。
【００６８】
具体的には、接続コード１０２の細コード部分１０２Ｂが直径１．６ｍｍであるのに対し、太コード部分１０２Ａは直径２．０ｍｍとなっている。これにより接続コード１０２は、耳朶の外形を沿う太コード部分１０２Ａがその形状を保持し得る程度の堅固さを保持し、それ以外の細コード部分１０２Ｂについては、耳殻の裏側付根部分に対して密着し易い柔軟性を保持するようになされている。
【００６９】
これにより耳掛け式ヘッドホン１１０は、装着時、耳殻の上側付根部分に対しては接続コード１０２のうち柔軟性を有する細コード部分１０２Ｂがコードカバー１１１を介して密着すると共に、耳殻の裏側付根部分に対しては接続コード１０２のうち柔軟性を有する細コード部分１０２Ｂが直接密着することにより高いフィット感を保持する一方、耳朶の裏側付根部分に密着される堅固な太コード部分１０２Ａにより、接続コード１０２による耳殻の外形に沿ったようなループの形状を保持し得るようになされている。
【００７０】
因みに接続コード１０２は、太コード部分１０２Ａの材質を細コード部分１０２Ｂよりも固い材料を用いて一体化すれば、太コード部分１０２Ａの外径を細コード部分１０２Ｂの外径よりも太くする必要は無い。
【００７１】
以上の構成において、耳掛け式ヘッドホン１１０は図１０に示すように、接続コード１０２のプラグ１０２Ｄ側が下方に引っ張られたとき、コード保持部１１３と接続コード１０２との摩擦力を抗して当該接続コード１０２がコード保持部１１３の内部をスライドすることにより、当該接続コード１０２によって形成されていたループのサイズが小さくなる。
【００７２】
従って耳掛け式ヘッドホン１１０では、ユーザの耳殻に接続コード１０２のループが引っ掛けられた状態で、当該接続コード１０２のプラグ１０２Ｄ側が下方に引っ張られたとき、接続コード１０２によるループのサイズが小さくなって、当該接続コード１０２が１周に亘って耳殻を包み込むように密着することになる。
【００７３】
なお、このとき耳掛け式ヘッドホン１１０では、接続コード１０２によるループのサイズが小さくなるに連れて、当該接続コード１０２が耳殻の上方の裏側付根部分に対して直接密着するのではなく、コードカバー１１１が耳殻の上方の裏側付根部分に対して密着することになるので、接続コード１０２が直接密着するよりも心地良い装着感をユーザに対して提供することができる。
【００７４】
このように耳掛け式ヘッドホン１１０は、接続コード１０２によるループのサイズを、コード保持部１１３を介して自在に調整することが出来るので、耳殻の形状及び大きさに拘わらず、誰に対しても装着時の保持状態を強固にすることができると共に締め付け具合（フィット感）を自在に調整することができる。
【００７５】
特に、耳掛け式ヘッドホン１１０は、略逆Ｃ字形状に形成されたコード保持部１１３を介して接続コード１０２がスライド動作するようになされていることによって、接続コード１０２によるループの形状が崩れることがなく、常に耳殻を包み込むように接続コード１０２を密着させることができる。
【００７６】
また耳掛け式ヘッドホン１１０は、接続コード１０２が逆方向へ引っ張られたときには、ループのサイズを大きくすることができるので、装着状態を緩める等の微調整を容易に行うこともできる。
【００７７】
なお耳掛け式ヘッドホン１１０は、ドライバーユニット１０１の下端から引き出されている接続コード１０２の最初の数ｃｍであって、耳朶の外形を沿う略Ｕ字形状でなる太コード部分１０２Ａが、それ以外の他の細コード部分１０２Ｂよりも外径が太くなっており、その形状を保持し得る程度の堅固さを保持していることにより、装着時、コード保持部１１３だけでなく、堅固な太コード部分１０２Ａによっても接続コード１０２によるループの形状を保持し、耳殻を包み込むように接続コード１０２を密着させることができる。
【００７８】
以上の構成によれば、耳掛け式ヘッドホン１１０は、接続コード１０２により耳殻を包み込むようなループを形成し得、そのサイズを調整可能な構造を有するようにしたことにより、耳殻の形状及びサイズに拘わらず、誰に対しても接続コード１０２のループを介して強固で快適な装着感を提供することができる。
【００７９】
（３）第３の実施の形態
図７との対応部分に同一符号を付した図１１において、１２０は全体として本発明の第３の実施の形態におけるバーティカルタイプの耳掛け式ヘッドホンを示し、バーティカルタイプのドライバーユニット１０１の下端から引き出されている所定径（例えば直径１．６ｍｍ）の接続コード１２２が耳殻の外形を沿うと共に包み込むようなループ形状を有している。
【００８０】
この耳掛け式ヘッドホン１２０においても、ドライバーユニット１０１の側面に対して一体化された筒構造のコード保持部１２３が設けられており、ループ形状を描いた接続コード１２２の一部分が当該コード保持部１２３に挿通されている。
【００８１】
接続コード１２２は、例えば軟質の熱可塑性エラストマーで形成されており、耳殻の外形を沿うと共に耳殻の全体を包み込むようにフィットし、良好な装着感を提供し得るようになされている。
【００８２】
コード保持部１２３は、例えば硬質のプラスチック材でなる所定径（例えば直径２．４ｍｍ）の管材が耳殻の前方の外形形状及び耳朶部分に沿うような略逆Ｓ字形状に形成されたものであり、その筒構造の内部にその一部分が挿通された接続コード１２２を、矢印方向に対するユーザの引っ張り動作に応じてスライドさせ得るようになされている。
【００８３】
なお、コード保持部１２３の素材として、これ以外にも、ポリプロピレン（ＰＰ）や、ポロエチレンテレフタレート（ＰＢＰ）等の合成樹脂、シリコンゴムや塩化ビニル等であっても良い。
【００８４】
因みに、このコード保持部１２３は、その筒構造の内部を接続コード１２２がスライドしながら挿通し得るように、その内径が接続コード１２２の直径１．６ｍｍよりも僅かに大きなサイズに形成されており、当該接続コード１２２がコード保持部１２３の内部をスライドする際、ある程度の摩擦を生じさせるようになされている。
【００８５】
これにより耳掛け式ヘッドホン１２０では、ユーザにより接続コード１２２のプラグ１２２Ｄ側がコード保持部１２３から引っ張られない限り、当該コード保持部１２３の内部に挿通された接続コード１２２が摩擦によりその位置で保持されるため、当該接続コード１２２によって形成されたループのサイズを維持し得るようになされている。
【００８６】
従って耳掛け式ヘッドホン１２０は、接続コード１２２とコード保持部１２３との位置関係を、当該接続コード１２２に対する引っ張り操作に応じて任意に変更し得ると共に、そのときの位置で保持し得ることにより、当該接続コード１２２によって形成されるループのサイズを自在に変更し得るようになされている。
【００８７】
かくして耳掛け式ヘッドホン１２０では、接続コード１２２によって形成されるループのサイズを自在に変更することにより、耳殻の形状及びサイズに拘わらず、接続コード１２２のループによって耳殻の外形を包み込んだ状態で当該接続コード１２２を密着させ、かくして常に最適な装着感をユーザに提供し得るようになされている。
【００８８】
なお、耳掛け式ヘッドホン１２０では、接続コード１２２とコード保持部１２３とを摩擦によって保持するのではなく、コード保持部１２３に対して接続コード１２２の位置が変化しないようにすべく、所定構造のストッパーを設けるようにしても良い。
【００８９】
因みに耳掛け式ヘッドホン１２０では、第１の実施の形態における耳掛け式ヘッドホン１００の接続コード１０２とは異なって、接続コード１２２の外径が全て均一となっているが、コード保持部１２３における耳朶部分１２３Ａを介して接続コード１２２が耳朶の外形を沿うようになされている。
【００９０】
これにより耳掛け式ヘッドホン１２０は、装着時、耳殻の裏側付根部分に対して接続コード１２２が密着すると共に、耳朶の裏側付根部分にはコード保持部１２３の耳朶部分１２３Ａが密着することにより、接続コード１２２及びコード保持部１２３による耳殻を包み込むようなループの形状を保持し得るようになされている。
【００９１】
また耳掛け式ヘッドホン１２０は、コード保持部１２３における耳朶部分１２３Ａの先端から、その内部を挿通した接続コード１２２を排出するようになされているため、耳朶の後方に接続コード１２２が位置し、当該接続コード１２２がユーザの頬と接触することによる煩わしさを回避し得るようになされている。
【００９２】
以上の構成において、耳掛け式ヘッドホン１２０は図１２に示すように、接続コード１２２のプラグ１２２Ｄ側が下方に引っ張られたとき、コード保持部１２３と接続コード１２２との摩擦力を抗して当該接続コード１２２がコード保持部１２３の内部をスライドすることにより、当該接続コード１２２によって形成されていたループのサイズが小さくなる。
【００９３】
従って耳掛け式ヘッドホン１２０では、ユーザの耳殻に接続コード１２２のループが引っ掛けられた状態で、当該接続コード１２２のプラグ１２２Ｄ側が下方に引っ張られたとき、接続コード１２２によるループのサイズが小さくなって、当該接続コード１２２が１周に亘って耳殻を包み込むように密着することになる。
【００９４】
すなわち耳掛け式ヘッドホン１２０は、接続コード１２２によるループのサイズを、コード保持部１２３を介して自在に調整することが出来るので、耳殻の形状及び大きさに拘わらず、誰に対しても装着時の保持状態を強固にすることができると共に締め付け具合（フィット感）を自在に調整することができる。
【００９５】
特に、耳掛け式ヘッドホン１２０は、略逆Ｓ字形状に形成されたコード保持部１２３を介して接続コード１２２がスライド動作するようになされていることによって、接続コード１２２によるループの形状が崩れることがなく、常に耳殻を包み込むように接続コード１２２を密着させることができる。
【００９６】
なお耳掛け式ヘッドホン１２０は、コード保持部１２３における耳朶部分１２３Ａによって接続コード１２２が当該コード保持部１２３を介して耳朶の外形を沿うようになされていることにより、装着時、耳殻の裏側付根部分に対して接続コード１２２が密着すると共に、耳朶の裏側付根部分にはコード保持部１２３の耳朶部分１２３Ａが位置することになる。
【００９７】
かくして耳掛け式ヘッドホン１２０は、接続コード１２２が引っ張られたときでも、コード保持部１２３の耳朶部分１２３Ａにより耳朶の外形に沿わせるようになされたループの形状を保持し得、常に耳殻を包み込むように接続コード１２２を密着させることができる。
【００９８】
なお耳掛け式ヘッドホン１２０は、接続コード１２２が逆方向へ引っ張られたときには、ループのサイズを大きくすることができるので、装着状態を緩める等の微調整を容易に行うこともできる。
【００９９】
以上の構成によれば、耳掛け式ヘッドホン１２０は、接続コード１２２により耳殻を包み込むようなループを形成し得、そのサイズを調整可能な構造を有するようにしたことにより、耳殻の形状及びサイズに拘わらず、誰に対しても接続コード１２２のループを介して強固で快適な装着感を提供することができる。
【０１００】
（４）第４の実施の形態
図１１との対応部分に同一符号を付した図１３において、１３０は全体として本発明の第４の実施の形態におけるバーティカルタイプの耳掛け式ヘッドホンを示し、バーティカルタイプのドライバーユニット１０１の下端から引き出されている所定径（例えば直径１．６ｍｍ）の接続コード１２２が耳殻の外形を沿うと共に包み込むようなループ形状を有し得るようになされている。
【０１０１】
このとき耳掛け式ヘッドホン１３０では、ドライバーユニット１０１の側面に対して一体化された２つの直方体形状の突起部からなるコード保持部１３３が設けられており、ループ形状を描いた接続コード１２２の一部分が当該コード保持部１３３に嵌め込まれた状態で取り付けられている。
【０１０２】
接続コード１２２は、例えば軟質の熱可塑性エラストマーで形成されており、耳殻の外形を沿うと共に耳殻の全体を包み込むようにフィットし、良好な装着感を提供し得るようになされている。
【０１０３】
コード保持部１３３は、図１４に示すように、例えば硬質の樹脂材またはプラスチック材でなる直方体形状の突起部１３３Ａ及び１３３Ｂからなり、当該突起部１３３Ａ及び１３３Ｂが接続コード１２２の外径よりも僅かに短い間隔でドライバーユニット１０１の側面に併設されている。
【０１０４】
なお、コード保持部１３３の素材として、これ以外にも、ポリプロピレン（ＰＰ）や、ポロエチレンテレフタレート（ＰＢＰ）等の合成樹脂、シリコンゴムや塩化ビニル等であっても良い。
【０１０５】
そしてコード保持部１３３は、突起部１３３Ａ及び１３３Ｂの互いに向かい合った内向面に対して、接続コード１２２の外形に沿った形状の凹部が形成されている。
【０１０６】
従って耳掛け式ヘッドホン１３０では、当該接続コード１２２が突起部１３３Ａ及び１３３Ｂの間に押し入れられたとき、当該突起部１３３Ａ及び１３３Ｂの内向面に形成されたそれぞれ凹部に接続コード１２２が挟み込まれ、かつ突起部１３３Ａ及び１３３Ｂの弾性力によって、その位置で接続コード１２２を挟み込みながら脱着自在に保持するようになされている。
【０１０７】
すなわち耳掛け式ヘッドホン１３０では、接続コード１２２がユーザにより矢印方向へ引っ張られると、コード保持部１３３に接続コード１２２を挟み込んだまま、当該接続コード１２２をスライドし得るようになされている。
【０１０８】
これにより耳掛け式ヘッドホン１３０では、ユーザにより接続コード１２２のプラグ１２２Ｄ側がコード保持部１３３に挟み込まれたまま引っ張られない限り、当該コード保持部１３３に挟み込まれた接続コード１２２がその位置で保持されるため、当該接続コード１２２によって形成されたループのサイズを維持し得るようになされている。
【０１０９】
従って耳掛け式ヘッドホン１３０は、接続コード１２２とコード保持部１３３との位置関係を、当該接続コード１２２に対する引っ張り操作に応じて任意に変更し得ると共に、そのときの位置で保持し得ることにより、当該接続コード１２２によって形成されるループのサイズを自在に変更し得るようになされている。
【０１１０】
かくして耳掛け式ヘッドホン１３０では、接続コード１２２によって形成されるループのサイズをコード保持部１３３によって自在に変更し得るようにしたことにより、耳殻の形状及びサイズに拘わらず、接続コード１２２のループによって耳殻を包み込んだ状態で当該接続コード１２２を耳殻の裏側付根部分に対して密着させ、常に最適な装着感をユーザに提供し得るようになされている。
【０１１１】
以上の構成において、耳掛け式ヘッドホン１３０は図１５に示すように、接続コード１２２のプラグ１２２Ｄ側が下方に引っ張られたとき、コード保持部１３３に挟み込まれたまま接続コード１２２がスライドすることにより、当該接続コード１２２によって形成されていたループのサイズが小さくなる。
【０１１２】
従って耳掛け式ヘッドホン１３０では、ユーザの耳殻に接続コード１２２のループが引っ掛けられた状態で、当該接続コード１２２のプラグ１２２Ｄ側が下方に引っ張られたとき、接続コード１２２によるループのサイズが小さくなって、当該接続コード１２２が１周に亘って耳殻を包み込むように密着することになる。
【０１１３】
このように耳掛け式ヘッドホン１３０は、接続コード１２２によるループのサイズを、コード保持部１３３を介して自在に調整することが出来るので、耳殻の形状及び大きさに拘わらず、誰に対しても装着時の保持状態を強固にすることができると共に締め付け具合（フィット感）を自在に調整することができる。
【０１１４】
なお耳掛け式ヘッドホン１３０は、接続コード１２２が逆方向へ引っ張られたときには、ループのサイズを大きくすることができるので、装着状態を緩める等の微調整を容易に行うこともできる。
【０１１５】
また耳掛け式ヘッドホン１３０では、図１６に示すように、接続コード１２２がコード保持部１３３に挟み込まれた状態から取り外されて開放された場合、その自重で接続コード１２２が垂れ下がることになり、その結果、当該接続コード１２２によって形成されていたループが消滅する。
【０１１６】
従って耳掛け式ヘッドホン１３０は、接続コード１２２によるループを介して耳殻に装着する必要がなくなった場合、コード保持部１３３に挟み込まれた状態から接続コード１２２を開放することにより、耳掛け式ではない一般的なヘッドホンとしての用途に変更することができる。
【０１１７】
このように耳掛け式ヘッドホン１３０は、接続コード１２２をコード保持部１３３に挟み込んで保持するか、コード保持部１３３から開放するかをユーザに対して選択させるだけで、耳掛け式ヘッドホンとして使用するか、一般的なヘッドホンとして使用するかを瞬時に切り換えることができる。
【０１１８】
以上の構成によれば、耳掛け式ヘッドホン１３０は、接続コード１２２により耳殻を包み込むようなループを形成し得、そのサイズを調整可能な構造を有するようにしたことにより、耳殻の形状及びサイズに拘わらず、誰に対しても接続コード１２２のループを介して強固で快適な装着感を提供することができる。
【０１１９】
また耳掛け式ヘッドホン１３０は、コード保持部１３３を介して耳掛け式ヘッドホンとして使用するか、一般的なヘッドホンとして使用するかを瞬時に切り換えることができ、ユーザの使用環境に合わせた２種類の使用形態を提供することができる。
【０１２０】
（５）第５の実施の形態
図７及び図１３との対応部分に同一符号を付した図１７において、１４０は全体として本発明の第５の実施の形態におけるバーティカルタイプの耳掛け式ヘッドホンを示し、バーティカルタイプのドライバーユニット１０１の下端から引き出されている所定径（例えば直径１．６ｍｍ）の接続コード１０２が耳殻の外形を沿うと共に包み込むようなループ形状を有し得るようになされている。
【０１２１】
このとき耳掛け式ヘッドホン１４０では、ドライバーユニット１０１の側面に対して一体化された２つの直方体形状の突起部からなるコード保持部１３３が設けられており、ループ形状を描いた接続コード１０２の一部分が当該コード保持部１３３に嵌め込まれた状態で取り付けられている。
【０１２２】
接続コード１０２は、例えば軟質の熱可塑性エラストマーで形成されており、耳殻の外形を沿うと共に耳殻の全体を包み込むようにフィットし、良好な装着感を提供し得るようになされている。
【０１２３】
因みにコード保持部１３３は、第４の実施の形態における耳掛け式ヘッドホン１３０のときと同じ構成であり、ここでは便宜上その説明を省略する。
【０１２４】
従って耳掛け式ヘッドホン１４０では、当該接続コード１０２が突起部１３３Ａ及び１３３Ｂの間に押し入れられたとき、当該突起部１３３Ａ及び１３３Ｂの内向面に形成されたそれぞれ凹部に接続コード１０２が挟み込まれ、かつ突起部１３３Ａ及び１３３Ｂの弾性力によって、その位置で接続コード１０２を挟み込みながら保持するようになされている。
【０１２５】
すなわち耳掛け式ヘッドホン１４０では、接続コード１０２がユーザにより矢印方向へ引っ張られると、コード保持部１３３に接続コード１０２を挟み込んだまま、当該接続コード１０２をスライドし得るようになされている。
【０１２６】
これにより耳掛け式ヘッドホン１４０では、ユーザにより接続コード１０２のプラグ１０２Ｄ側がコード保持部１３３に挟み込まれたまま引っ張られない限り、当該コード保持部１３３に挟まれた接続コード１０２がその位置で保持されるため、当該接続コード１０２によって形成されたループのサイズを維持し得るようになされている。
【０１２７】
従って耳掛け式ヘッドホン１４０は、接続コード１０２とコード保持部１３３との位置関係を、当該接続コード１０２に対する引っ張り操作に応じて任意に変更し得ると共に、そのときの位置で保持し得ることにより、当該接続コード１０２によって形成されるループのサイズを自在に変更し得るようになされている。
【０１２８】
かくして耳掛け式ヘッドホン１４０では、接続コード１０２によって形成されるループのサイズを自在に変更することにより、耳殻の形状及びサイズに拘わらず、接続コード１０２のループによって耳殻を包み込んだ状態で当該接続コード１０２を耳殻の裏側付根部分に対して密着させ、かくして常に最適な装着感をユーザに提供し得るようになされている。
【０１２９】
なお耳掛け式ヘッドホン１４０は、ドライバーユニット１０１の下端から引き出されている接続コード１０２の最初の数ｃｍであって、耳朶の外形を沿う略Ｕ字形状でなる太コード部分１０２Ａについては、それ以外の他の細コード部分１０２Ｂよりも外径が僅かに太くなっており（すなわち肉厚が太い）、太コード部分１０２Ａと細コード部分１０２Ｂとが所定長さの接合部分１０２Ｃによって一体化されている。
【０１３０】
具体的には、接続コード１０２の細コード部分１０２Ｂが直径１．６ｍｍであるのに対し、太コード部分１０２Ａは直径２．０ｍｍとなっている。これにより接続コード１０２は、耳朶の外形を沿う太コード部分１０２Ａがその形状を保持し得る程度の堅固さを保持し、それ以外の細コード部分１０２Ｂについては、耳殻の裏側付根部分に対して密着し易い柔軟性を保持するようになされている。
【０１３１】
これにより耳掛け式ヘッドホン１４０は、装着時、耳殻の上側付根部分及び裏側付根部分に対しては接続コード１０２のうち柔軟性を有する細コード部分１０２Ｂが密着することにより、高いフィット感を保持する一方、耳朶の裏側付根部分に密着される堅固な太コード部分１０２Ａにより、接続コード１０２による耳殻の外形に沿ったようなループの形状を保持し得るようになされている。
【０１３２】
因みに接続コード１０２は、太コード部分１０２Ａの材質を細コード部分１０２Ｂよりも固い材料を用いて一体化すれば、太コード部分１０２Ａの外径を細コード部分１０２Ｂの外径よりも太くする必要は無い。
【０１３３】
以上の構成において、耳掛け式ヘッドホン１４０は図１８に示すように、接続コード１０２のプラグ１０２Ｄ側が下方に引っ張られたとき、コード保持部１３３に挟み込まれたまま接続コード１０２がスライドすることにより、当該接続コード１０２によって形成されていたループのサイズが小さくなる。
【０１３４】
従って耳掛け式ヘッドホン１４０では、ユーザの耳殻に接続コード１０２のループが引っ掛けられた状態で、当該接続コード１０２のプラグ１０２Ｄ側が下方に引っ張られたとき、接続コード１０２によるループのサイズが小さくなって、当該接続コード１０２が１周に亘って耳殻を包み込むように密着することになる。
【０１３５】
このように耳掛け式ヘッドホン１４０は、接続コード１０２によるループのサイズを、コード保持部１３３を介して自在に調整することが出来るので、耳殻の形状及び大きさに拘わらず、誰に対しても装着時の保持状態を強固にすることができると共に締め付け具合（フィット感）を自在に調整することができる。
【０１３６】
なお耳掛け式ヘッドホン１４０は、接続コード１０２が逆方向へ引っ張られたときには、ループのサイズを大きくすることができるので、装着状態を緩める等の微調整を容易に行うこともできる。
【０１３７】
また耳掛け式ヘッドホン１４０では、図１９に示すように、接続コード１０２がコード保持部１３３に挟み込まれた状態から取り外されて開放された場合、その自重で接続コード１０２が垂れ下がることにより、当該接続コード１０２によって形成されていたループが消滅する。
【０１３８】
従って耳掛け式ヘッドホン１４０は、接続コード１０２によるループを介して耳殻に装着する必要がなくなった場合、コード保持部１３３に挟み込まれた状態から接続コード１０２を開放することにより、耳掛け式ではない一般的なヘッドホンとしての用途に変更することができる。
【０１３９】
このように耳掛け式ヘッドホン１４０は、接続コード１０２をコード保持部１３３に挟み込んで保持するか、コード保持部１３３から開放するかをユーザに対して選択させるだけで、耳掛け式ヘッドホンとして使用するか、一般的なヘッドホンとして使用するかを瞬時に切り換えることができる。
【０１４０】
但し、耳掛け式ヘッドホン１４０は、接続コード１０２によって形成されていたループが消滅したときであっても、太コード部分１０２Ａについてはその形状を保持し得る程度の堅固さを保持していることにより、接合部分１０２Ｃ以降の細コード部分１０２Ｂだけが垂れ下がることになり、ユーザの頬を接続コード１０２が接触することによる煩わしさを回避することができる。
【０１４１】
以上の構成によれば、耳掛け式ヘッドホン１４０は、接続コード１０２により耳殻を包み込むようなループを形成し得、そのサイズを調整可能な構造を有するようにしたことにより、耳殻の形状及びサイズに拘わらず、誰に対しても接続コード１０２のループを介して強固で快適な装着感を提供することができる。
【０１４２】
また耳掛け式ヘッドホン１４０は、コード保持部１３３を介して耳掛け式ヘッドホンとして使用するか、一般的なヘッドホンとして使用するかを瞬時に切り換えることができ、ユーザの使用環境に合わせた２種類の使用形態を提供することができる。
【０１４３】
（６）他の実施の形態
なお上述の第１の実施の形態乃至第３の実施の形態においては、直径１．６ｍｍの接続コード１０２、１２２を用いると共に、直径２．４ｍｍのコード保持部１０３、１１３、１２３を用いるようにした場合について述べたが、本発明はこれに限らず、接続コード１０２、１２２がコード保持部１０３、１１３、１２３に挿通し、かつ一定レベルの摩擦力が発生するのであれば、その他種々の直径でなる接続コード１０２、１２２及びコード保持部１０３、１１３、１２３を用いるようにしても良い。
【０１４４】
また上述の第１の実施の形態乃至第５の実施の形態においては、バーティカルタイプのドライバーユニット１０１を用いるようにした場合について述べたが、本発明はこれに限らず、ラテラルタイプのドライバーユニットを用いたり、インナーイヤータイプのイヤーピースを用いる等のその他種々の構成を採用するようにしても良い。
【０１４５】
さらに上述の第３の実施の形態においては、略逆Ｓ字形状のコード保持部１２３を用いるようにした場合について述べたが、本発明はこれに限らず、第２の実施の形態におけるコード保持部１１３のように、当該コード保持部１２３に対してもコードカバー１１１を一体に取り付けるようにしても良い。
【産業上の利用可能性】
【０１４６】
本発明のヘッドホン装置は、携帯型音楽プレーヤに接続して用いられる他、例えば携帯電話機やＰＤＡ(Personal Digital Assistant)、ノートブック型ＰＣ(Personal Computer)、モバイルＰＣ等のその他種々の電子機器に接続して用いられるヘッドホン装置に適用することができる。
【図面の簡単な説明】
【０１４７】
【図１】従来の耳掛け式ヘッドホン（耳載せタイプ）の構成を示す略線図である。
【図２】従来のバーティカルタイプの耳掛け式ヘッドホン（１）の構成を示す略線図である。
【図３】従来のバーティカルタイプの耳掛け式ヘッドホン（２）の構成を示す略線図である。
【図４】従来のバーティカルタイプの耳掛け式ヘッドホン（３）の構成を示す略線図である。
【図５】従来のコード自体を耳に掛けるラテラルタイプの耳掛け式ヘッドホンの構成を示す略線図である。
【図６】従来の耳掛けハンガー分離式ヘッドホンの構成を示す略線図である。
【図７】本発明の第１の実施の形態における耳掛け式ヘッドホンの構成（１）を示す略線図である。
【図８】本発明の第１の実施の形態における耳掛け式ヘッドホンの構成（２）を示す略線図である。
【図９】本発明の第２の実施の形態における耳掛け式ヘッドホンの構成（１）を示す略線図である。
【図１０】本発明の第２の実施の形態における耳掛け式ヘッドホンの構成（２）を示す略線図である。
【図１１】本発明の第３の実施の形態における耳掛け式ヘッドホンの構成（１）を示す略線図である。
【図１２】本発明の第３の実施の形態における耳掛け式ヘッドホンの構成（２）を示す略線図である。
【図１３】本発明の第４の実施の形態における耳掛け式ヘッドホンの構成（１）を示す略線図である。
【図１４】本発明の第４の実施の形態における耳掛け式ヘッドホンのコード保持部の構造を示す略線的斜視図である。
【図１５】本発明の第４の実施の形態における耳掛け式ヘッドホンの構成（２）を示す略線図である。
【図１６】本発明の第４の実施の形態における耳掛け式ヘッドホンの構成（３）を示す略線図である。
【図１７】本発明の第５の実施の形態における耳掛け式ヘッドホンの構成（１）を示す略線図である。
【図１８】本発明の第５の実施の形態における耳掛け式ヘッドホンの構成（２）を示す略線図である。
【図１９】本発明の第５の実施の形態における耳掛け式ヘッドホンの構成（３）を示す略線図である。
【符号の説明】
【０１４８】
１、１０、２０、３０、４０、１００、１１０、１２０、１３０、１４０……耳掛け式ヘッドホン、５０……耳掛けハンガー分離式ヘッドホン、２……ハウジング、３、１２、２２、５２……耳掛けハンガー、１１、２１、３１、４１、５１、１０１……ドライバーユニット、３３、５３、１０２、１２２……接続コード、３２……ループ状耳掛けハンガー、４２……耳掛けハンガー兼用接続コード、１０３、１１３、１２３、１３３……コード保持部、１１１……コードカバー。
【図１】
2009212947.tif 000003
【図２】
2009212947.tif 000004
【図３】
2009212947.tif 000005
【図４】
2009212947.tif 000006
【図５】
2009212947.tif 000007
【図６】
2009212947.tif 000008
【図７】
2009212947.tif 000009
【図８】
2009212947.tif 000010
【図９】
2009212947.tif 000011
【図１０】
2009212947.tif 000012
【図１１】
2009212947.tif 000013
【図１２】
2009212947.tif 000014
【図１３】
2009212947.tif 000015
【図１４】
2009212947.tif 000016
【図１５】
2009212947.tif 000017
【図１６】
2009212947.tif 000018
【図１７】
2009212947.tif 000019
【図１８】
2009212947.tif 000020
【図１９】
2009212947.tif 000021